(57)【要約】  超解像度情報記録媒体（ＳＲＩＳＭ）に記録された情報の再生方法及び装置であって、ＳＲＩＳＭの反射率特性差によって変化するスレショルド領域を能動的に感知して再生に適した再生パワーを探し、これを利用して再生を行う方法及び装置が開示されている。  この開示された情報再生方法は、再生パワーを可変させつつ光ビームを照射し、反射された光ビームを受光して再生信号の信号レベル変化を検出するステップと、再生信号の信号レベル変化から、信号レベル変化の線形性が破れる点での再生パワーである基準再生パワーを算出するステップと、基準再生パワーから実際再生パワーを設定するステップとを含むことを特徴とする。  また、開示された情報再生装置は、ＳＲＩＳＭに可変されるパワーの光ビームを照射する光源と、ＳＲＩＳＭから反射された光ビームを受光し、受光された光ビームから再生信号を検出する光検出器を備えた光ピックアップユニットと、光源からＳＲＩＳＭに照射されたビームの再生パワー可変による再生信号の信号レベル変化を検出し、再生パワー変化に対する検出された信号レベル変化の線形性が破れる地点の再生パワーである基準再生パワーに基づいて、実際再生に必要な光源の実際再生パワーを設定する信号処理部とを備えることを特徴とする。
2007522600.tif 000002
【特許請求の範囲】
【請求項１】
入射ビームの分解能以下サイズの記録マークを含む超解像情報記録媒体（ＳＲＩＳＭ）から信号を再生する情報再生方法において、
前記情報記録媒体に再生パワーを可変させつつビームを照射し、前記情報記録媒体で反射されたビームを受光して再生信号の信号レベル変化を検出するステップと、
前記再生信号の信号レベル変化に基づいて、前記再生パワー変化に対する信号レベル変化の線形性が破れる地点での再生パワーである基準再生パワーを算出するステップと、
前記基準再生パワーから実際再生パワーを設定するステップとを含むことを特徴とするＳＲＩＳＭに記録された情報再生方法。
【請求項２】
前記情報記録媒体の所定領域に基準再生パワー算出用の基準信号がデータ形態で記録され、
前記基準信号が記録された所定領域に可変される再生パワーのビームを照射することによって再生信号を検出することを特徴とする請求項１に記載のＳＲＩＳＭに記録された情報再生方法。
【請求項３】
前記基準信号は、
ＲＯＭピットマーク、プリレコードマークまたはウォッブルの形態で記録されたことを特徴とする請求項２に記載のＳＲＩＳＭに記録された情報再生方法。
【請求項４】
前記基準信号は、
前記情報記録媒体のリードイン領域及び／またはリードアウト領域に記録されたことを特徴とする請求項２または３に記載のＳＲＩＳＭに記録された情報再生方法。
【請求項５】
前記実際再生パワーは、前記基準再生パワーに比べて相対的に大きい値を持つことを特徴とする請求項１ないし３のうちいずれか一項に記載のＳＲＩＳＭに記録された情報再生方法。
【請求項６】
前記実際再生パワーは、前記基準再生パワーより約０．１ｍＷ大きい値を持つことを特徴とする請求項５に記載のＳＲＩＳＭに記録された情報再生方法。
【請求項７】
入射ビームの分解能以下サイズの記録マークを含むＳＲＩＳＭから情報を再生する情報再生方法において、
前記情報記録媒体の所定領域に所定記録パワーのビームを照射し、基準再生パワー算出用の基準信号を記録するステップと、
前記基準信号に対して、前記情報記録媒体に再生パワーを可変させつつビームを照射し、前記情報記録媒体で反射されたビームを受光して再生信号の信号レベル変化を検出するステップと、
前記再生信号の信号レベル変化に基づいて、前記再生パワー変化に対する信号レベル変化の線形性が破れる地点での再生パワーである基準再生パワーを算出するステップと、
前記基準再生パワーから実際再生パワーを設定するステップとを含むことを特徴とするＳＲＩＳＭに記録された情報再生方法。
【請求項８】
前記基準信号は、
前記情報記録媒体のリードイン領域及び／またはリードアウト領域に記録されることを特徴とする請求項７に記載の情報再生方法。
【請求項９】
前記実際再生パワーは、前記基準再生パワーに比べて相対的に大きい値を持つことを特徴とする請求項７または８に記載のＳＲＩＳＭに記録された情報再生方法。
【請求項１０】
前記実際再生パワーは、前記基準再生パワーより約０．１ｍＷ大きい値を持つことを特徴とする請求項９に記載のＳＲＩＳＭに記録された情報再生方法。
【請求項１１】
入射されたビームの分解能以下サイズの記録マークを含むＳＲＩＳＭから信号を再生する情報再生装置において、
前記情報記録媒体に可変されるパワーを持つビームを照射する光源と、前記情報記録媒体から反射されたビームを受光して再生信号を検出する光検出器を備えたピックアップユニットと、
前記光源から前記情報記録媒体に照射されたビームの再生パワー可変による再生信号の信号レベル変化を検出し、再生パワー変化に対する検出された信号レベル変化の線形性が破れる地点の再生パワーに基づいて、実際再生に必要な前記光源の実際再生パワーを設定する信号処理部と、を備えて、前記光源から実際再生パワーのビームを照射することにより信号再生を行うことを特徴とするＳＲＩＳＭに記録された情報再生装置。
【請求項１２】
前記信号処理部は、
可変される再生パワーのビームが前記情報記録媒体に照射されるように前記光源を制御するパワーコントローラと、
前記可変される再生パワーによる前記再生信号の信号レベル変化から、この信号レベル変化の線形性が破れる地点での再生パワーの基準再生パワーを算出する算出部と、
前記基準再生パワーから実際再生パワーを設定する設定部と、を備えることを特徴とする請求項１１に記載のＳＲＩＳＭに記録された情報再生装置。
【請求項１３】
前記実際再生パワーは、前記基準再生パワーに比べて相対的に大きい値を持つことを特徴とする請求項１１または１２に記載のＲＩＳＭに記録された情報再生装置。
【請求項１４】
前記実際再生パワーは、前記基準再生パワーより約０．１ｍＷ大きい値を持つことを特徴とする請求項１３に記載のＳＲＩＳＭに記録された情報再生装置。
【請求項１５】
入射ビームの分解能以下サイズの記録マークを含む記録媒体に再生パワーを可変させつつ光ビームを照射するステップと、
前記記録媒体から反射された光ビームを受光し、受光された光ビームから再生信号の信号レベル変化を検出するステップと、
前記再生信号の信号レベル変化から基準再生パワーを決定するステップと、
前記基準再生パワーに基づいて記録媒体に記録された情報を再生するように、光ビームの再生パワーを実際再生パワーに合わせるステップとを含む方法。
【請求項１６】
前記記録媒体は、ユーザデータが記録されたＳＲＩＳＭであり、リードイン領域は、データ領域の内周側に設けられ、リードアウト領域は、データ領域の外周側に設けられたことを特徴とする請求項１５に記載の方法。
【請求項１７】
前記基準再生パワーを計算するための基準信号は、ＳＲＩＳＭのリードイン領域とリードアウト領域のうち一箇所にデータとして記録され、基準信号が記録される前記領域上で可変される再生パワーを照射することによって再生信号が検出されることを特徴とする請求項１６に記載の方法。
【請求項１８】
前記基準信号は、記録媒体でＲＯＭピットマーク、プリレコードマークまたはウォッブルの形態で記録されたことを特徴とする請求項１７に記載の方法。
【請求項１９】
前記実際再生パワーは、前記再生信号の信号レベル変化から、再生パワーレベルに対する信号レベル変化の線形性が破れる地点での再生パワーと決定される基準再生パワーより大きいことを特徴とする請求項１５ないし１８のうちいずれか一項に記載の方法。
【請求項２０】
前記実際再生パワーは、前記基準再生パワーより約０．１ｍＷ以上大きい値を持つことを特徴とする請求項１５ないし１８のうちいずれか一項に記載の方法。
【請求項２１】
記録媒体に可変されるパワーを持つビームを照射する光源と、記録媒体から反射されたビームを受光して再生信号を検出する光検出器とを備えた光ユニットと、
前記光源から前記情報記録媒体に照射されたビームの再生パワー可変による再生信号の信号レベル変化を検出し、この検出された信号レベル変化の線形性が破れる地点の再生パワーに基づいて、実際再生に必要な前記光源の実際再生パワーを設定する信号処理部とを備えることを特徴とする装置。
【請求項２２】
前記基準再生パワーは、前記再生信号レベル変化に基づいて再生パワー変化に対する再生信号レベル変化の線形性が破れる地点での再生パワーと決定されることを特徴とする請求項２１に記載の装置。
【請求項２３】
前記信号処理部は、
可変される再生パワーのビームが前記記録媒体に照射されるように前記光源を制御するパワーコントローラと、
前記可変される再生パワーによる前記再生信号の信号レベル変化から、この信号レベル変化の線形性が破れる地点での再生パワーの基準再生パワーを算出する算出部と、
前記基準再生パワーから実際再生パワーを設定する設定部と、を備えることを特徴とする請求項２１に記載の装置。
【請求項２４】
前記実際再生パワーは、前記基準再生パワーより大きいことを特徴とする請求項２１ないし２３のうちいずれか一項に記載の装置。
【請求項２５】
前記実際再生パワーは、前記基準再生パワーより約０．１ｍＷ以上大きい値を持つことを特徴とする装置。
【請求項２６】
前記記録媒体はＳＲＩＳＭであり、
前記ＳＲＩＳＭはユーザデータが記録されたデータ領域を持ち、リードイン領域は、前記データ領域の内周側に設けられ、リードアウト領域は、前記データ領域の外周側に設けられたことを特徴とする請求項２１ないし２３のうちいずれか一項に記載の装置。
【請求項２７】
前記基準再生パワーを計算するための基準信号は、前記ＳＲＩＳＭのリードイン領域とリードアウト領域のうち一箇所にデータとして記録され、基準信号が記録される前記領域上に可変される再生パワーを照射することによって再生信号が検出されることを特徴とする請求項２６に記載の装置。
【請求項２８】
前記基準信号は、記録媒体でＲＯＭピットマーク、プリレコードマークまたはウォッブルの形態で記録されたことを特徴とする請求項２７に記載の装置。
【発明の詳細な説明】
【技術分野】
【０００１】
本発明は、超解像現象を利用できる構造の超解像度情報記録媒体（Ｓｕｐｅｒ  Ｒｅｓｏｌｕｔｉｏｎ  Ｉｎｆｏｒｍａｔｉｏｎ  Ｓｔｏｒａｇｅ  Ｍｅｄｉｕｍ；以下、ＳＲＩＳＭ）に記録された情報再生方法及び装置に係り、より詳細には、ＳＲＩＳＭの反射率差によって変化するスレショルド領域を能動的に感知して再生に適した再生パワーを探し、それを利用して再生を行うＳＲＩＳＭに記録された情報再生方法及び装置に関する。
【背景技術】
【０００２】
情報記録媒体は、非接触式で情報の記録再生を行う光ピックアップ装置の情報記録媒体として利用されるものであって、情報技術の発達につれて保存される情報の記録密度が高まることが要求されている。
【０００３】
そのために、レーザービームの分解能以下サイズの記録マークを持つＳＲＩＳＭが研究されている。このＳＲＩＳＭは、入射ビームにより表面プラズモンが発生するマスク層を含むものであって、情報再生時にマスク層で発生する表面プラズモンを利用することによって高密度記録を具現する。
【０００４】
例えば、白金、酸素または酸化白金（ＰｔＯＸ）で構成されたマスク層を備えた場合、このマスク層にレーザービームを照射すれば、このマスク層を構成する酸化白金が照射されたビームにより白金（Ｐｔ）と酸素（Ｏ２）とに分解される。この分解された白金（Ｐｔ）で表面プラズモンが発生して近接場の再生が可能になる。したがって、対物レンズにより情報記録媒体に集束されたレーザービームの分解能限界より小さなサイズの記録マークに対しても信号の再生が可能になる。
【０００５】
一方、前記したＳＲＩＳＭに対して情報の再生が保証されるためには、約３０ｄＢ以上の信号対雑音比（Ｃａｒｒｉｅｒ−ｔｏ−ＮｏｉｓｅＲａｔｉｏ：以下、ＣＮＲ）が要求される。前記ＣＮＲは、情報再生のためのレーザービームの生成に使われるレーザーダイオードの再生パワーに非常に敏感に変化するので、所定レベル以上の再生パワーが要求される。
【０００６】
図１は、一般的なＳＲＩＳＭにおいて、再生パワーによるＣＮＲ変化を示すグラフである。ここで、図１の結果は、５ｍ／ｓの線速度で情報記録媒体を回転させつつ、記録パワー１２．０ｍＷ、バイアスパワー１．１ｍＷ、デューティ２５％と記録された７５ｎｍマーク長の記録マーク信号に対して測定した値である。
【０００７】
図面を参照するに、再生パワーが１．３ｍＷから１．４ｍＷに変化する時、ＣＮＲが約３０ｄＢ程度に急変することが分かる。このように、ＣＮＲが急変する領域をスレショルド領域といい、領域Ａと表した。
【０００８】
しかし、このスレショルド領域Ａは、前記した１．３ｍＷと１．４ｍＷとの間の領域に限定されるものではなく、ＳＲＩＳＭの製造企業などの差により変わりうる。
【０００９】
ここで、前記したＳＲＩＳＭに記録された情報は約３０ｄＢ以上のＣＮＲ値が要求されるので、前記したスレショルド領域Ａでの再生パワーより大きい値の再生パワーで再生せねばならない。
【００１０】
一方、再生パワーを所定領域以上、例えば、図１のグラフ上で２．０ｍＷ以上に高める場合には、ＣＮＲ値が低下する問題と、再生信号による記録マークが損傷する問題などが発生する。したがって、スレショルド領域を避けるために、情報再生装置の再生パワーを十分に高く設定することは困難である。
【発明の開示】
【発明が解決しようとする課題】
【００１１】
本発明は、前記のような点を鑑みてなされたものであり、再生パワー変化と再生信号の信号レベル変化との関係を利用して採用されるＳＲＩＳＭの反射率特性差によって変化するスレショルド領域を能動的に感知して、再生に適した再生パワーを探し、それを利用して再生を行うＳＲＩＳＭに記録された情報再生方法及び装置を提供するところに目的がある。
【課題を解決するための手段】
【００１２】
前記した目的を達成するために、入射ビームの分解能以下サイズの記録マークを含むＳＲＩＳＭから信号を再生する本発明の情報再生方法は、前記情報記録媒体に再生パワーを可変させつつビームを照射し、前記情報記録媒体で反射されたビームを受光して再生信号の信号レベル変化を検出するステップと、前記再生信号の信号レベル変化に基づいて、前記再生パワー変化に対する信号レベル変化の線形性が破れる地点での再生パワーである基準再生パワーを算出するステップと、前記基準再生パワーから実際再生パワーを設定するステップとを含むことを特徴とする。
【００１３】
また、前記した目的を達成するために、入射ビームの分解能以下サイズの記録マークを含むＳＲＩＳＭから情報を再生する本発明の情報再生方法は、前記情報記録媒体の所定領域に所定記録パワーのビームを照射し、基準再生パワー算出用の基準信号を記録するステップと、前記基準信号に対して、前記情報記録媒体に再生パワーを可変させつつビームを照射し、前記情報記録媒体で反射されたビームを受光して再生信号の信号レベル変化を検出するステップと、前記再生信号の信号レベル変化に基づいて、前記再生パワー変化に対する信号レベル変化の線形性が破れる地点での再生パワーである基準再生パワーを算出するステップと、前記基準再生パワーから実際再生パワーを設定するステップとを含むことを特徴とする。
【００１４】
また、前記した目的を達成するために、入射されたビームの分解能以下サイズの記録マークを含むＳＲＩＳＭから信号を再生する本発明の情報再生装置は、前記情報記録媒体に可変されるパワーを持つビームを照射する光源と、前記情報記録媒体から反射されたビームを受光して再生信号を検出する光検出器を備えたピックアップユニットと、前記光源から前記情報記録媒体に照射されたビームの再生パワー可変による再生信号の信号レベル変化を検出し、再生パワー変化に対する検出された信号レベル変化の線形性が破れる地点の再生パワーに基づいて、実際再生に必要な前記光源の実際再生パワーを設定する信号処理部とを備えることを特徴とする。
【００１５】
ここで、前記信号処理部は、可変される再生パワーのビームが前記情報記録媒体に照射されるように前記光源を制御するパワーコントローラと、前記可変される再生パワーによる前記再生信号の信号レベル変化から、この信号レベル変化の線形性が破れる地点での再生パワーの基準再生パワーを算出する算出部と、前記基準再生パワーから実際再生パワーを設定する設定部とを備えることを特徴とする。
【発明の効果】
【００１６】
前記のように構成された本発明による情報再生装置及び方法は、スレショルド領域を能動的に感知し、それに基づいて実際再生パワーを設定して再生を行うことによって、ＳＲＩＳＭの反射率特性の異なる場合にも安定した信号再生が可能である。
【００１７】
本発明の実施形態になりうるもの等が図示されて記述されたが、当業者により、そして技術発展により多様な変更及び修正がなされることができ、本発明の技術的思想及び範ちゅうを逸脱せずに構成要素の均等物に代替できるということが分かる。発明の範ちゅうを逸脱せずに本発明の思想を具体的な事例に適応させうる多くの変形物が作られうる。例えば、記録マークが光ビームの分解能限界より大きくない限り、他の記録媒体が利用できる。また、光ビームの分解能限界以下の記録マークからの情報信号を再生できるように、超解像現象が利用できる限りＳＲＩＳＭを代替する構造が利用できる。同様に、中央コントローラがチップセットとして行われることもあり、選択的に図５及び図６で記述した方法を行うための目的で専用または常用のコンピュータプログラムされることもある。したがって、本発明は開示された多様な実施形態に限定されるものではなく、特許請求の範囲の範ちゅうに属するあらゆる実施形態を含まねばならない。
【発明を実施するための最良の形態】
【００１８】
本発明の具体例について詳細に説明する。実施形態は添付された図面に図示され、類似した参照番号は類似した構成要素に関する。
【００１９】
本発明の実施形態による情報再生方法及び装置を説明する前に、図２に示すような構造のＳＲＩＳＭを備え、再生パワーの可変による再生信号の変化を説明する。
【００２０】
図２を参照するに、ＳＲＩＳＭ  １は、炭素基板、誘電体層及び炭素基板上に形成され、カバー層により保護される記録補助層を備える。図２に示すように、ＳＲＩＳＭ  １は約１．１ｍｍ厚さの炭素基板１ａ上に順に８５ｎｍの厚さを持つＺｎＳ−ＳｉＯ２からなる誘電体層１ｂ、１５ｎｍの厚さを持つＧｅ−Ｓｂ−Ｔｅ記録補助層１ｃ、２５ｎｍの厚さを持つＺｎＳ−ＳｉＯ２からなる誘電体層１ｄ、３．５ｎｍの厚さのＰｔＯＸの金属酸化物からなる記録層１ｅ、２５ｎｍの厚さを持つＺｎＳ−ＳｉＯ２からなる誘電体層１ｆ、１５ｎｍの厚さを持つＧｅ−Ｓｂ−Ｔｅ記録補助層１ｇ、９５ｎｍの厚さを持つＺｎＳ−ＳｉＯ２からなる誘電体層１ｈをスパッタリング工程によって順に積層形成した。次いで、最上部誘電体層１ｈ上に０．１ｍｍ厚さのカバー層１ｉを形成した。
【００２１】
図３に示すＳＲＩＳＭ  １の構造は、超解像現象を利用して情報の再生が可能な構造であって、再生に利用される光ビーム（レーザービーム）の分解能限界より小さなサイズの記録マークに対しても信号の再生が可能である。例えば、光ピックアップ装置の分解能が１１９ｎｍである場合、これより小さな７５ｎｍサイズの記録マークに対しても高度の確実性及び安定性をもって再生できる。
【００２２】
前記した情報記録媒体において、光ビーム（レーザービーム）の分解能以下サイズの記録マークに対する情報再生に使われる再生パワーと、この再生パワーの変化による再生信号との関係は、図３に示す通りである。
【００２３】
図３は、図２のＳＲＩＳＭにおいて、再生パワーによる再生信号の変化を示すグラフであって、基準信号に対して再生パワーを１．０ｍＷと２．０ｍＷとの間で可変させつつ０．１ｍＷ単位で測定した再生信号を示すものである。ここで、基準信号は、情報記録媒体を５ｍ／ｓの線速度で回転させつつ記録パワー１２．０ｍＷで記録された７５ｎｍマーク長の信号である。
【００２４】
図３を参照するに、変化される各再生パワーによる再生信号を連結した線分Ｒを説明すれば、約１．０ｍＷと１．４ｍＷとの間の再生パワーでは、一定の傾斜度を持って連結した線分が直線を維持することが分かる。したがって、この傾斜度を延長してみれば、所定傾斜度を持つ任意の直線Ｆと一致する。
【００２５】
一方、１．４ｍＷ以上の再生パワーに対しては線形性が破れつつ、再生信号を連結した線分Ｒが前記した直線Ｆと一致しなくなる。
【００２６】
このようなグラフ特性を、図１に示すような再生パワーによるＣＮＲ特性を示すグラフと比較する時、線形性が維持される最高の再生パワーがスレショルド領域（図１のＡ）を外れる再生パワーに該当することが分かる。すなわち、図１及び図３において、再生パワー１．４ｍＷが、線形性が維持される範囲での最も大きい再生パワーに該当すると同時に、スレショルド領域Ａを外れる地点での再生パワーに該当する。したがって、このような再生パワーを基準再生パワーＢと定義する時、この基準再生パワーＢより大きい再生パワーで、分解能以下サイズの記録マークに対して情報の再生が可能である。
【００２７】
図２に図示された構造とは異なる構造を持つＳＲＩＳＭにおいても、前記した再生パワーの線形性が破れる部分とスレショルドを外れる地点とが一致する。一方、前記した基準再生パワーＢは、反射率特性などの差によって、他の再生パワー値に変わることができ、この場合にも前記した線形性の維持ないし破れる地点を基準に基準再生パワーＢを算定できる。
【００２８】
以下、前記した再生パワーの線形性を利用して基準再生パワーを探し、それに基づいて情報の再生を行うのに適した実際再生パワーを設定して情報を再生する本発明の実施形態による情報再生装置及びこの情報再生装置を利用した情報再生方法を、図４ないし図６を参照して詳細に説明する。
【００２９】
図４を参照するに、本発明の実施形態による情報再生装置は、ＳＲＩＳＭ  １を回転駆動する駆動部１０と、情報記録媒体１から再生信号を読み取る光ピックアップ部２０と、読み取られた信号を処理する信号処理部３０とを備える。
【００３０】
光ピックアップ部２０は、光ビームを照射する光源２１と、進行する光ビームの進行経路を変換するビームスプリッタ２３と、情報記録媒体１に向かう光ビームを集束させる対物レンズ２５と、情報記録媒体１から反射された光ビームを受光して再生信号及び前記した基準信号を検出する光検出器２７とを備える。
【００３１】
信号処理部３０は、採用されるＳＲＩＳＭ  １の反射率などの光学的特性差によって再生パワーのスレショルド領域が変わっても、実際再生に必要な前記光源の実際再生パワーを能動的に設定する。すなわち、この信号処理部３０は、光源２１から情報記録媒体１に照射された光ビームの再生パワー可変による再生信号の信号レベル変化を検出し、この検出された信号レベル変化の線形性が破れる地点の再生パワーに基づいて、実際再生に必要な光源１の実際再生パワーを設定する。
【００３２】
そのために、信号処理部３０は、光源２１から出力される光ビームのパワーを調節するパワーコントローラ３１と、光検出器２７を通じて読み取られた再生信号の信号レベルを検出する再生信号検出部３３と、中央コントローラ４０とを備える。
【００３３】
パワーコントローラ３１は、情報記録媒体１が採用された初期には、情報記録媒体１の光学的特性による実際再生パワーを得るために、光源２１から出力される光ビームのパワーを可変的に制御する。例えば、実際再生パワーを得る過程では、約１．０ｍＷないし約２．０ｍＷの再生パワーを低いパワーから高いパワーへ順に０．１ｍＷ間隔で高める。以後、実際再生パワーが算出された場合は、光源２１から実際再生パワーのビームが出射されるように光源２１を制御する。
【００３４】
中央コントローラ４０は、再生信号検出部３３から読み取られた信号に基づいて、基準再生パワーを算出して実際再生パワーを設定する。そのために、中央コントローラ４０は、基準再生パワーを算出する算出部４１と、この基準再生パワーから実際再生パワーを設定する設定部４３とを備える。また、再生信号検出部３３で読み取られた信号が保存されるメモリ部分４５を備える。算出部４１は、可変される再生パワーによる前記再生信号の信号レベル変化から、この信号レベル変化の線形性が破れる地点での再生パワーである基準再生パワーを算出する。設定部４３は、実際再生パワーを設定するものであって、この設定部４３で設定された実際再生パワーは前記基準再生パワーに比べて相対的に大きい値を持つ。望ましくは、前記実際再生パワーは前記基準再生パワーより約０．１ｍＷ大きい値を持つ。このように、実際再生パワーを設定することによって、ＣＮＲが急変するスレショルド領域を避けると共に、安定したＣＮＲ値を得ることができる範囲内で再生を行わせることができる。
【００３５】
図４に示す情報再生装置を通じて入射された光の分解能以下サイズの記録マークを含む情報記録媒体から再生信号を再生する情報再生方法は、次の通りである。
【００３６】
図５を参照しつつ、本発明の実施形態による情報再生方法を説明する。
【００３７】
本実施形態に採用されるＳＲＩＳＭ  １は、入射ビームの分解能以下サイズの記録マークを含むものであって、所定領域に基準再生パワー算出用の基準信号が記録されている。この基準信号は情報記録媒体の製造時に書き込まれるものであって、データ形態で記録されている。すなわち、基準信号はＳＲＩＳＭ  １上にＲＯＭピット（ＲＯＭ−Ｐｉｔ）マーク、プリレコードマーク、またはウォッブルからなることが望ましい。
【００３８】
一方、前記情報記録媒体は、ユーザデータが記録されるデータ領域と、このデータ領域の内周側に設けられるリードイン領域と、前記データ領域の外周側に設けられるリードアウト領域とに区分される。ここで、前記基準信号は、リードイン領域及び／またはリードアウト領域に記録されたことが望ましい。
【００３９】
図４及び図５を参照するに、まず、情報記録媒体１に対して再生パワーを可変させつつ光ビームを照射し、情報記録媒体１で反射された光ビームを受光して再生信号の信号レベル変化を検出する（Ｓ１０）。具体的に説明すれば、駆動源１０により回転する情報記録媒体１の基準信号が記録された位置に対して、所定再生パワーの再生光ビームを照射する（Ｓ１１）。次いで、前記情報記録媒体１で反射された光ビームを、光検出器２７を通じて受光し、これより再生信号を検出し、この検出された信号をメモリ４５に保存する（Ｓ１３）。以後、再生パワーを継続的に可変させつつ（Ｓ１５）、前記したステップＳ１１及びＳ１３を反復する。次いで、前記したステップにかけて得られた再生信号データから再生信号の信号レベルを検出する（Ｓ１７）。この時に検出された再生信号の信号レベルは、再生パワー可変による再生信号の変化を示す図３の線分Ｒのように表現される。
【００４０】
そして、前記再生信号の信号レベル変化から、信号レベル変化の線形性が破れる地点（例えば、図３のＢ地点）での再生パワーの基準再生パワーを算出する（Ｓ２０）。
【００４１】
次いで、算出された基準再生パワーに比べて相対的に大きい値を持つように光源２１の実際再生パワーを設定する（Ｓ３０）。ここで、実際再生パワーは、前記基準再生パワーより約０．１ｍＷほど大きい値を持つように設定されることが望ましい。このように、実際再生パワーを設定することによって、前述したように、約３０ｄＢ以上の安定したＣＮＲ値を得ることができる。
【００４２】
以下、図６を参照しつつ、本発明の他の実施形態による情報再生方法を説明する。
【００４３】
本実施形態に採用されるＳＲＩＳＭは、図５で記述した実施形態のように入射ビームの分解能以下サイズの記録マークを含むものであって、基準再生パワー算出に必要な基準信号が記録されていないものであり、これについての情報再生方法は、次の通りである。
【００４４】
図４及び図６を参照するに、まず、情報記録媒体１の所定領域に所定記録パワーの光ビームを照射し、基準再生パワー算出用の基準信号を記録する（Ｓ５）。ここで、基準信号は、駆動源１０により線速度５ｍ／ｓｅｃで情報記録媒体１を回転させる状態で、約１２ｍＷの記録パワーを情報記録媒体に照射することによりデータ形態で記録される。ここで、基準信号が記録される領域は、前記情報記録媒体１のリードイン領域及び／またはリードアウト領域であることが望ましい。
【００４５】
以後、再生信号の信号レベル変化を検出し（Ｓ１０）、これに基づいて基準再生パワーを算出し（Ｓ２０）、実際再生パワーを基準再生パワーより大きい値に設定した後（Ｓ３０）、実際再生パワーを利用して信号が再生される（Ｓ４０）。
【図面の簡単な説明】
【００４６】
本発明のさらに好ましい理解は、実施形態の詳細な記述及び請求項を本発明の開示の一部を形成する添付した図面と連結する時に明白になる。図面上の記述及び図は、発明の実施形態を説明するところに焦点をおいたものであって、単なる実施形態に過ぎず、本発明はそれに限定されないということが明確に理解されねばならない。
【図１】一般的なＳＲＩＳＭにおいて、７５ｎｍサイズの記録マークに対する再生パワーによるＣＮＲ変化を示すグラフである。
【図２】本発明の実施形態によるＳＲＩＳＭを示す概略的な断面図である。
【図３】図２のＳＲＩＳＭにおいて、再生パワーによる再生信号の変化を示すグラフである。
【図４】本発明の実施形態による情報再生装置を示す概略的な図である。
【図５】本発明の一実施形態による情報再生方法を説明するために示すフローチャートである。
【図６】本発明の他の実施形態による情報再生方法を説明するために示すフローチャートである。
【図１】
2007522600.tif 000003
【図２】
2007522600.tif 000004
【図３】
2007522600.tif 000005
【図４】
2007522600.tif 000006
【図５】
2007522600.tif 000007
【図６】
2007522600.tif 000008
【国際調査報告】
2007522600.tif 000009